(57)【特許請求の範囲】
【請求項１】
握り部分２２と、杖本体パイプ部分２４と、から成る折りたたみ可能杖２０であって、
握り部分２２が、少なくとも握り２６と、該握り２６へ固定されている固定パイプ部材２８と、を有しており、
杖本体パイプ部分２４が、該固定パイプ部材２８内に収容されている上部本体パイプ部材３８と、下部本体パイプ部材４６と、上部本体パイプ部材３８と下部本体パイプ部材４６との間に配置されている中間本体パイプ部材４０、４２と、中間本体パイプ部材４０、４２を介して上部本体パイプ部材３８と下部本体パイプ部材４６とを弾性的に接続している弾性体４８と、を有しており、
少なくとも該上部本体パイプ部材３８の下端部、中間本体パイプ部材４０、４２の上端部、中間本体パイプ部材４０、４２の下端部、下部本体パイプ部材４６の上端部のそれぞれが接続手段を形成している第１手段又は第２手段を有しており、
この接続手段の第１手段が、少なくとも、案内用の突起７６を受け入れこれを案内する切り抜き溝６８と、該切り抜き溝６８を架橋している隆起部７０と、により構成され、第２手段が、少なくとも、パイプ内へ挿入される差し込み部７２と、該差し込み部に設けた案内用の突起７６と、により構成されていることを特徴とする折りたたみ可能杖。
【請求項２】
第２手段が、更に、接続時に前記隆起部と衝接する突出部８２を有していることを特徴とする請求項１に記載の杖。
【請求項３】
前記接続手段の第１手段を構成している切り抜き溝６８が直状切り抜き溝６８ａと曲状切り抜き溝６８ｂとを含んでおり、該曲状切り抜き溝６８ｂがその１つの側縁部に突起６９を有していることを特徴とする請求項１又は２に記載の杖。
【請求項４】
互いに接続される本体パイプ部分の端部接続部分が外方に広がった裾部を有しており、各本体パイプ部分を接続したときこれらの裾部が互いに接触して節を形成し、これにより杖本体パイプ部分が剛体構造を構成することを特徴とする請求項１、２又は３に記載の杖。
【請求項５】
弾性体４８の一端が上部本体パイプ部材３８の一端部に、他端が下部本体パイプ部材４６の一端部に固定されていることを特徴とする請求項１、２、３又は４に記載の杖。
【請求項６】
杖本体パイプ部分２４の上部本体パイプ部材３８が、握り２６へ固定されている固定パイプ部材２８に対して摺動可能となっており、これにより杖全体の長さが調整可能となっている請求項１、２、３、４又は５に記載の杖。
【発明の詳細な説明】
【０００１】
【発明の属する技術分野】
本発明は、杖に関する。特に不使用時には該杖の持ち運び等を行い易いように折りたたみが可能であり、使用時には簡単に所定の長さに組み立て可能であるような、折りたたみかつ組立可能な杖に関する。
【０００２】
【従来の技術】
これまで、種々の形態を有する杖が知られている。その多くは、上端の握り部分から下端の石突き部分までが一体の部材により構成されているステッキ状をなしており、上端から下端までの距離が一定の長さを有していて、その長さを調整することが出来なかった。
【０００３】
その後、使用者が必要に応じてその長さを自由に調整出来るパイプを使用した入れ子式の杖も発表されている。例えば図１８に示すような、本件出願人と同一の出願人の出願にかかる特開平７−２５５５１４号に記載する長さ調整可能な杖１は、Ｌ字型の握り部分２と、該握り部分２に固定して取り付けてある固定パイプ部材３と、該固定パイプ部材３内を上下に摺動する杖本体パイプ部材４と、杖の長さを調整するための長さ調整手段５と、から成る。固定パイプ部材３は、図１９に示すように、凹み６と、該凹み６の位置から円周方向に離れた位置に設けられた孔７と、を有している。更に杖本体パイプ部材４は、図２０に示すように、上方部分には長手方向に伸びている溝８と、該溝８の位置から円周方向に離れた位置に長手方向に沿って設けられた一連（図示の例では５個）の孔９と、を有し、下端部には図示していない石突きを有している１本の細長いパイプ部材から構成されている。前記固定パイプ３の凹み６が本体パイプ４の溝８内に係合し、前記固定パイプ３の孔７が該固定パイプ３内を摺動する本体パイプ部材４の各孔９に整合可能となっており、当該整合している前記固定パイプ３の孔７と本体パイプ４の各孔９とに、前記長さ調整手段５のピン部材１０が嵌合している。長さ調整手段５のつまみ１１を該ピン部材１０の周りに回転すると、該つまみ１１と一緒に該ピン部材１０が図示していない螺旋状通路に沿って回転移動する。これにより該ピン部材１０が前記本体パイプ４の孔９から引き抜かれる方向に移動する。こうして該本体パイプ４を固定パイプ３内にて移動することが可能となり、これにより杖１全体の長さを調整可能としている。
【０００４】
【発明が解決しようとする課題】
上述のような長さを調整出来ない一定長を有するステッキ杖においては、不使用時においてはその長さが邪魔になり該杖の保管、特に狭い車両や航空機等の内部における保管が、不自由であった。また、長さを調整出来る杖においても、その調整範囲が限定されており、最も短い状態に調整したとしても、不使用時においてはその長さが邪魔になり該杖の保管が、同様に不自由であった。
【０００５】
【課題を解決するための手段】
かかる課題を解決するため本件発明では杖を例えば２つ又はそれ以上の部分にて折りたたむことが出来るような形態の杖を提供する。そのため、本件発明では、握り部分２２と、杖本体パイプ部分２４と、から成る折りたたみ可能杖２０であって、握り部分２２が、少なくとも握り２６と、該握り２６へ固定されている固定パイプ部材２８と、を有しており、杖本体パイプ部分２４が、該固定パイプ部材２８内に収容されている上部本体パイプ部材３８と、下部本体パイプ部材４６と、上部本体パイプ部材３８と下部本体パイプ部材４６との間に配置されている中間本体パイプ部材４０、４２と、中間本体パイプ部材４０、４２を介して上部本体パイプ部材３８と下部本体パイプ部材４６とを弾性的に接続している弾性体４８と、を有しており、少なくとも該上部本体パイプ部材３８の下端部、中間本体パイプ部材４０、４２の上端部、中間本体パイプ部材４０、４２の下端部、下部本体パイプ部材４６の上端部のそれぞれが、接続手段を形成している第１手段又は第２手段を有しており、この接続手段の第１手段が、案内用の突起７６を受け入れこれを案内する切り抜き溝６８と、該切り抜き溝６８を架橋している隆起部７０と、により構成され、第２手段が、少なくとも、パイプ内へ挿入される差し込み部７２と、該差し込み部に設けた案内用の突起７６と、により構成されていることを特徴とする折りたたみ可能杖を提供する。
【０００６】
【発明の実施の形態】
以下において、本発明の一実施例について図面を参照しながら詳細に述べる。以下の実施例においては、長さを自由に調整出来る形態の杖に対して折りたたみ特性を付加した構造について記載するが、この発明は、勿論、長さを自由に調整出来ない形態の杖に対して適宜適用することが出来るものである。
【０００７】
図１は、本件発明にかかる折りたたみ可能な杖２０の一部省略の全体図を示している。この杖２０は、概ねＬ字形をなしている握り部分２２と、該握り部分２２から下方に折りたたみ自在に伸長している杖本体パイプ部分２４と、により構成されている。
【０００８】
握り部分２２は、図１８に示す公知の握り部分２と実質的に同様の構造を有している。即ち握り部分２２は、例えばプラスチック材料から構成されている一体成形されたＬ字型の握り２６と、該握り２６内に例えば接着剤等によって固定されている固定パイプ部材２８と、該固定パイプ部材２８内を長手方向に摺動する後述の杖本体パイプ部分２４に係合して当該杖２０の長さを調整可能としている長さ調整手段３０と、により形成されている。前記固定パイプ部材２８は、図１９に示すと同様に、その中間部分に凹み３２と、この凹み３２の位置から円周方向に離れた位置に単一の孔３４と、を有している。該孔３４に嵌合するピン３６を有している長さ調整手段３０は、例えば特開平７−２５５５１４号に記載されているものと実質的に同様のものを使用しており、これ自体は既に公知あるので詳述はしない。
【０００９】
杖本体パイプ部分２４は、握り２６内に固定されている前記固定パイプ部材２８内を摺動可能な上部本体パイプ部材３８と、この上部本体パイプ部材３８の下方に接続されている複数（図示の例では２個）の中間本体パイプ部材４０、４２と、下方の中間本体パイプ部材４２に連結されており下端に石突き４４を備えている下部本体パイプ部材４６と、該杖本体パイプ部分２４内に収容されており下部本体パイプ部材４６と上部本体パイプ部材３８とを連結しているゴム紐又はコイルバネ等の弾性体４８と、により形成されている。ここで上部本体パイプ部材３８と、複数（図示の例では２個）の中間本体パイプ部材４０、４２と、下部本体パイプ部材４６とは、解放自在な接続手段によって接続されている。この接続手段は、後述するように第１手段と第２手段とにより構成されている。
【００１０】
杖本体パイプ部分２４の上端部分を形成している上部本体パイプ部材３８であって、握り２６へ固定されている固定パイプ部材２８内を摺動可能な上部本体パイプ部材３８は、図２０に示す公知の杖本体パイプ部材４と概ね類似した形状を有している。即ち、この上部本体パイプ部材３８は長手方向に伸びている単一の溝５０（図２及び図４参照）と、該溝５０の位置から円周方向に離れた位置に長手方向に沿って設けられた一連（図示の例では５個）の孔５２（図２及び図３参照）と、を有している。このため、この上部本体パイプ部材３８は図４に示すように、その円周の一部が凹み、この凹んだ溝５０に前記固定パイプ部材２８の凹み３２が係合し、該上部本体パイプ部材３８が握り２６内で上下方向には移動出来るがその中で回転することが阻止されている。該上部本体パイプ部材３８の溝５０が形成されている部分及び一連の孔５２が形成されて部分の内側にはそれぞれ裏当て部材５４、５６が設けてあり、それらの部分の補強を図っている。また、握り２６内に固定されている固定パイプ部材２８内を長手方向に直線的に摺動する該上部本体パイプ部材３８の上端部には、該上部本体パイプ部材３８の断面形状に適合する凹み部分を有する、図５に示すような、中空形状のキャップ５８が嵌合配置され、そこに該パイプ部材３８の先端部に設けた止め穴６０を介して固着されている。このキャップ５８の天板部分６２には、その中心部に孔６４（図１参照）が設けてあり、その孔６４を介して前記ゴム紐、コイルバネ、等の弾性体４８の一端部が、該キャップ５８へピンその他の適当な手段によって保持されている。該弾性体４８の他端部は、後述するように、下部本体パイプ部材４６（図１６）へ適当な手段によって保持されている。
【００１１】
図２及び図３に示すように、上部本体パイプ部材３８の下端裾部６６はスカート状に幾分広がっている。この下端裾部６６には、各本体パイプ部材を互いに接続する接続手段の第１手段が形成されている。この第１手段は、図３及び図６に示すように、その下縁部分の一部が軸線方向上方に向かって僅かに切り取られた切り抜き溝６８を有している。この切り抜き溝６８はその上方部分から更に図３に示すように右方上方へ連続的に伸びている。従ってこの切り抜き溝６８は、パイプ部材３８の軸線方向に伸びている直状切り抜き溝６８ａとその上方部分から右方上方へ該パイプ部材３８の曲面に沿って連続的に伸びている曲状切り抜き溝６８ｂとにより形成されている。またこの曲状切り抜き溝６８ｂの下側縁からは小さい突起６９が該溝６８ｂ内へ突き出している。更に、該第１手段は、直状切り抜き溝６８ａを架橋するため、そこから該パイプ部材３８の半径方向外方に向かって隆起している概ね矩形断面の隆起部７０を有している。この隆起部７０によって直状切り抜き溝６８ａは一体的に連結されている。こうして、該切り抜き溝６８と隆起部７０とは、接続手段の第１手段を形成している。図７及び図８は、図３をそれぞれ線７−７及び線８−８に沿って見た図である。
【００１２】
図９は、中間本体パイプ部材４０、４２の側面図である。この中間パイプ部材は必要に応じて、２個でも３個でも又はそれ以上でも使用出来るが、本件実施例では２個の中間本体パイプ部材を使用している。これらの中間本体パイプ部材はいずれも同一の形状及び構造を有しているものであるが、以下においては、例示的に中間本体パイプ部材４０について記載する。中間本体パイプ部材４０は、上部本体パイプ部材３８の下端のスカート状裾部６６に密な嵌合関係にて差し込まれる寸法及び形状を有する差し込み部７２と、該差し込み部７２から下方に一体的に伸びている伸長部７４と、により構成されている。差し込み部７２には、図９〜図１１及び図１３に示すように、柱形の突起即ちピン７６が一体的に形成されている。伸長部７４の上端部分及び下端部分は前記上部本体パイプ部材３８の下端部分と同様の形態をなすようにそれぞれ上方及び下方に向かってスカート状に幾分広がっている裾部７８、８０を形成している。この結果、上部本体パイプ部材３８の下端裾部６６に中間本体パイプ部材４０の上端部分の裾部７８が接したとき、更には中間本体パイプ部材４０の下端部分の裾部８０が別の中間本体パイプ部材４２の上端部分の裾部７８が接したとき、これらの裾部は互いに同一直径の円形面にて密接状態に配置され、杖本体パイプ部分２４が、図１に示すように、あたかも中間に節を有する一体物から構成されているような形態を提供することが出来るようになっている。ここで、前記差し込み部７２と、突起７６と、望ましくは後述する突出部８２と、が接続手段の第２手段を形成している。この第２手段と前述した第１手段とが互いに嵌合することにより、安全な接続手段が提供されている。
【００１３】
該中間本体パイプ部材４０の伸長部７４に形成されている上方裾部７８には、好ましくは、前記ピン７６の位置から円周方向かつ高さ方向に偏倚した位置に概ね半円形の突出部８２が望ましくは該部材４０と一体的に設けてある。ただし、この突出部８２は必ずしも必要なものではない。この突出部８２の上方平面部８４は図９、図１１、図１２に示すように、前記裾部７８の上部面８６と同一の面を形成するように配置されている。一方、該伸長部７４に形成されている下方裾部８０には、図２、図３及び図６において詳述したと同様の、直状切り抜き溝６８ａと曲状切り抜き溝６８ｂとから成る切り抜き溝６８及び隆起部７０等から成る第１手段が同様に形成されている。ここで上記上方裾部７８に設けた突出部８２と下方裾部８０の隆起部７０とは、伸長部７４の同一線上に配置されているのが望ましい。
【００１４】
前述のように別の中間本体パイプ部材４２も、上述の中間本体パイプ部材４０と実質的に同一の形状及び構成を有している。これらの中間本体パイプ部材４２の長さは、杖の折りたたみ数によって適宜決定される。
【００１５】
図１３、図１４及び図１５はそれぞれ図９の線１３−１３、線１４−１４、線１５−１５に沿って見た図である。
【００１６】
図１６は下部本体パイプ部材４６の断面図である。このパイプ部材４６は、最下部の中間本体パイプ部材、図示の例では中間本体パイプ部材４２の下端のスカート状裾部８０に密な嵌合関係にて差し込まれる寸法及び形状を有する差し込み部８８と、該差し込み部８８から下方に一体的に伸びている伸長部９０と、により構成されている。差し込み部８８は、突起９２を有している。また伸長部９０の上端部分は前記中間本体パイプ部材４２の上端部分と同様の形態をなすようにスカート状に幾分広がっている裾部９４を形成している。この結果、下部本体パイプ部材４６の上端裾部９４に中間本体パイプ部材４２の下端部分の裾部８０が接したとき、これらの裾部は互いに同一直径の円形面にて接触状態に配置され、杖本体パイプ部分２４が、図１に示すように、あたかも一体物から構成されているような形態を提供することが出来るようになっている。
【００１７】
該下部本体パイプ部材４６の伸長部９０に形成されている上方裾部９４には、望ましくは、前記突出部８２と実質的に同一の概ね半円形の突出部（図示なし）が好ましくは一体的に設けてある。この突出部の上方平面部（図示なし）は図９、図１１、図１２に示すように、前記裾部９４の上部面９６と同一の面を形成するように配置されている。こうしてこの差し込み部８８と、突起９２と、更には望ましくは該突出部（図示なし）と、は接続手段の第２手段を形成している。即ち、この下部本体パイプ部材４６の差し込み部８８及び伸長部９０の上方部分は、中間本体パイプ部材４２の差し込み部７２及び伸長部７４の上方部分と実質的に同一の形状及び構造を有しているのである。ただ一つ異なる点は、この下部本体パイプ部材４６の伸長部９０の上端裾部９４は、その内部に肉盛りがしてあり、ここに適当な、例えばピン、リング等の、支持部材を引掛ける、例えば逆Ｕ字形又は環状の、支持手段９８が形成してあることである。この支持部材９８にはゴム紐又はコイルバネ等の弾性体４８の下端部が保持されている。
【００１８】
一方、該伸長部９０の下方端部には、例えばゴム、プラスチック等から形成されている石突き４４が挿入固着されている。
【００１９】
図示の例では、ゴム紐又はコイルバネ等の弾性体４８は、上部本体パイプ部材３８のキャップ５８と下部本体パイプ部材４６の支持手段９８との間に懸架されるように記載しているが、これに限定されるものではない。例えば、上部本体パイプ部材３８内に、下部本体パイプ部材４６に設けた支持手段９８と同様の支持手段を設けてここへその上端部を支持することも出来るし、また下部本体パイプ部材４６の下端部と石突き４４との間に前記キャップ５８と同様のキャップを配置し又は該下部本体パイプ部材４６の下端部に前述と同様の肉盛をし、そこに支持手段９８と同様の支持手段を設け、この支持手段に該弾性体４８の下端部を支持することも出来る。
【００２０】
以下に本発明の折りたたみ自在な杖の使用方法について述べる。図１において明らかなように、本発明の杖２０は、その全長を自由に調整することが出来る。この長さ調整は、例えば特開平７−２５５５１４号において開示したように、公知の長さ調整手段３０の図示していないつまみ（図１８のつまみ１１参照）を、図示してしない公知のねじ溝に沿って回転する。つまみの回転に伴ってピン３６が上部本体パイプ部材３８の孔５２から抜かれる。この状態において、該上部本体パイプ部材３８を固定パイプ部材２８内にて長手方向に移動して、所望の長さ位置を特定する。上部本体パイプ部材３８が所望の位置に来たなら、長さ調整手段３０を初期位置へ戻し、ピン３６を上部本体パイプ部材３８の所定の孔５２へ差し込み、その長さを規定する。この長さ調整手段３０自体は公知である。この状態においては、上部本体パイプ部材３８から中間本体パイプ部材４０、４２を介して下部本体パイプ部材４６までが、互いに組合わさって一本の剛性体をなす杖本体パイプ部分２８を提供している。この状態において本発明の杖２０は使用される。
【００２１】
この使用時においては、杖本体パイプ部分２８を構成している各本体パイプ部分は互いに組合わさっている。より詳細には、このとき、例えば上部本体パイプ部材３８の下端部と中間本体パイプ部材４０の上端部、中間本体パイプ部材４０の下端部と中間本体パイプ部材４２の上端部、中間本体パイプ部材４２の下端部と下部本体パイプ部材４６の上端部とは、図１即ち図１７Ａに示すように、組合わさっている。以下においては、例として上部本体パイプ部材３８の下端部と中間本体パイプ部材４０の上端部との組合わせ状態について記載するが、上述の各部材の組合わせ状態はこれと全く同様である。
【００２２】
初めに理解されるべきことは、各本体パイプ部材３８、４０、４２、４６は、図１に示すように、弾性体４８によって、常に互いに接近する方向に強く引かれていることである。このため各本体パイプ部材３８、４０、４２、４６は、互いに最も接近した状態に位置するよう強制されているのである。図１７Ａに示すように、中間本体パイプ部材４０の上端部分にある差し込み部７２は上部本体パイプ部材３８の下端部の裾部６６内に引き込まれ、該上部本体パイプ部材３８の裾部６６と中間本体パイプ部材４０の上端部の裾部７８とが固く接触している。更に、上部本体パイプ部材３８の裾部６６の隆起部７０と中間本体パイプ部材４０の上端部の裾部７８の突出部８２とが固く接触している。一方、中間本体パイプ部材４０の差し込み部７２にある突起７６が上部本体パイプ部材３８の裾部６６の切り抜き溝６８特に曲状切り抜き溝６８ｂ内の最も深い位置に引き込まれている。このような位置において、上部本体パイプ部材３８と中間本体パイプ部材４０とは最も接近しかつ全くぐらつきの無い剛体状に組合わさった状態にある。この状態では、上部本体パイプ部材３８からの力は全て、その上部本体パイプ部材３８の裾部６６の下面から中間本体パイプ部材４０の裾部７８の上面へ、及び隆起部７０の下面から突出部８２の上面へ、更には上部本体パイプ部材３８の内壁面から中間本体パイプ部材４０の差し込み部分７２の外面へ確実に伝達される。
このため、上部本体パイプ部材３８と中間本体パイプ部材４０との剛的一体化が達成するのである。ただし隆起部７０の下面に接する突出部８２は、他の部分での力の伝達が完全な場合には省略することが出来る。また、曲状切り抜き溝６８ｂの下側縁の所定位置には、図６に示すような突起６９が設けてあり、これが突起即ちピン７６の移動を制限している。このため例えば、石突き４４が、道路上の穴等に突きささった時に杖２０を無理に上方へ引き上げたときにも、該ピン７６が曲状切り抜き溝６８ｂの下側縁に設けてある突起６９に引っ掛かり該ピン７６が該溝６８ｂから容易に抜け出すのを防止している。
【００２３】
次に図１７Ａに示すように互いに組合わさっている本発明の杖２０を折りたたむときの動作について述べる。初めに中間本体パイプ部材４０を上部本体パイプ部材３８に対して、矢印１００で示すように、左方へ回転する。このとき、各本体パイプ部材が弾性体４８によって互いに引き寄せられているので、ピン７６は前記曲状切り抜き溝６８ｂの上側縁に沿って移動するが、ここには曲状切り抜き溝６８ｂの下側縁に設けてあるような突起６９が設けてなくまた弾性体へ作用する移動量も少ないので、極めて円滑に移動出来る。該ピン７６が、図１７Ｂに示すように、曲状切り抜き溝６８ｂの左端部まで回転した後、該中間本体パイプ部材４０を矢印１０１で示すように、弾性体４８の弾性力に抗して下方に移動する。このとき該中間本体パイプ部材４０のピン７６は上部本体パイプ部材３８の隆起部７０をくぐって下方へ移動する。更に中間本体パイプ部材４０を弾性体４８の弾性力に抗して上部本体パイプ部材３８の下方へ移動して、該中間本体パイプ部材４０の差し込み部７２を完全に上部本体パイプ部材３８から抜き出す。その後、該中間本体パイプ部材４０を上部本体パイプ部材３８に対して１８０°だけ折り返す。通常、この折り込み作業は、初めに下部本体パイプ部材４６を折りたたみ、次いで下方の中間本体パイプ部材４０を折りたたみ、順次上方の本体パイプ部材の折りたたみを行う。こうして、本発明の杖２０は、例えば４つに折りたたまれ、全体長が概ね４分の１の長さになるのである。
【００２４】
一方、このように折りたたまれた本発明の杖２０を、図１に示すような使用位置に組み立てる場合には、初めに、上部本体パイプ部材３８に対して１８０°に折りたたまれている中間本体パイプ部材４０を、静かに立ち上げ、中間本体パイプ部材４０の差し込み部７２を上部本体パイプ部材３８の裾部６６内へ差し込む。この動作は弾性体４８が作用しているので、通常は、折りたたみ状態を解放すると自動的に達成出来る。このとき、中間本体パイプ部材４０の差し込み部７２に設けられたピン７６は、図１７Ｃに示すように、弾性体４８の弾性力によって上部本体パイプ部材３８の裾部６６の下縁部に衝接する。次いでこの中間本体パイプ部材４０を該上部本体パイプ部材３８の裾部６６の下縁部に沿って移動する。このとき、前記ピン７６が上部本体パイプ部材３８の隆起部７０の位置に整合すると、中間本体パイプ部材４０が前記弾性体４８の弾性力によって前記切り抜き溝６８の直状切り抜き溝６８ａを弾性的に上昇して図１７Ｂの位置をとる。最後に、中間本体パイプ部材４０を図１７Ａの矢印１００と反対の方向に回転する。このとき上部本体パイプ部材３８の裾部６６と中間本体パイプ部材４０の裾部７８とが図１７Ａに示すように密接し組み立て作業が完了する。
【００２５】
この発明は、長さを調整することが出来ない一定長さの杖に対しても適用することが出来、また上述のように長さを調整することが出来る杖に対しても同様に適用することが出来るのである。また、差し込み部７２及び突出部８２と、切り抜き溝６８及び隆起部７０との取り付け位置を、上下逆にすることも出来る。即ち、上部本体パイプ部材３８の下端部に差し込み部及び突出部等から成る接続手段の第２手段を形成し、下部本体パイプ部材４６の上端部に切り抜き溝及び隆起部等から成る接続手段の第１手段を形成し、かつ図９及び図１０に示す中間本体パイプ部材４０、４２を互いに図示した実施例の上下方向を逆向きにして使用することも出来るのである。
【００２６】
【発明の効果】
本件発明の杖は、その長さを必要に応じて３分の１又は４分の１又はそれ以下の好みの長さまで折りたたむことが出来るので、車両、航空機、その他の狭い空間においても自由に持ち運ぶことが出来る。またその折りたたみ、組付けが、弾性体の使用により極めて迅速かつ容易に達成出来る。
【図面の簡単な説明】
【図１】本件発明にかかる折りたたみ可能な杖の使用状態位置を示す一部断面及び一部破断の立面図である。
【図２】本件発明にかかる折りたたみ可能な杖の上部本体パイプ部材を示す断面図である。
【図３】本件発明にかかる折りたたみ可能な杖の上部本体パイプ部材を示す一部断面で示す図２と同様の図であるが、図２の位置を９０°回転して示した図である。
【図４】図３の線４−４にて見た断面図である。
【図５】上部本体パイプ部材の頂部へ配置されるキャップの斜視図である。
【図６】上部本体パイプ部材の下端部を下方からみた斜視図である。
【図７】図３の線７−７にて見た断面図である。
【図８】図３の線８−８にて見た断面図である。
【図９】本件発明にかかる折りたたみ可能な杖の中間本体パイプ部材を示す正面図である。
【図１０】図９に示す中間本体パイプ部材の断面図である。
【図１１】図９に示す中間本体パイプ部材の上端部分を図９の位置から僅かに回転した位置にて示した図である。
【図１２】図１１の位置から更に９０°回転した位置にて示している中間本体パイプ部材の上端部分を示している図である。
【図１３】図９の線１３−１３にて見た図である。
【図１４】図９の線１４−１４にて見た図である。
【図１５】図９の線１５−１５にて見た拡大図である。
【図１６】本件発明にかかる折りたたみ可能な杖の下部本体パイプ部材を示す断面図である。
【図１７】本件発明にかかる杖の組み立て及び折りたたみ動作を説明する図である。
【図１８】公知の杖の握り部分を示す図である。
【図１９】公知の杖の握り部分の内部に固定されている固定パイプ部材を示す斜視図である。
【図２０】公知の杖の握り部分の内部に固定されている固定パイプ部材内を上下に移動する杖本体パイプ部材を示す斜視図である。
【符号の説明】
２０：杖                            ２２：握り部分
２４：杖本体パイプ部分              ２６：握り
２８：固定パイプ部材                ３０：長さ調整手段
３２：凹み                          ３４：孔
３６：ピン                          ３８：上部本体パイプ部材
４０、４２：中間本体パイプ部材      ４４：石突き
４６：下部本体パイプ部材            ４８：弾性体
５０：溝                            ５２：孔
５４、５６：裏当て部材              ５８：キャップ
６０：止め穴                        ６２：天板部分
６４：孔                            ６６：裾部
６８：切り抜き溝                    ６８ａ：直状切り抜き溝
６８ｂ：曲状切り抜き溝              ６９：突起
７０：隆起部                        ７２：差し込み部
７４：伸長部                        ７６：突起（ピン）
７８、８０：裾部                    ８２：突出部
８４：上方平面部                    ８６：上部面
８８：差し込み部                    ９０：伸長部
９２：突起                          ９４：裾部
９６：上部面                        ９８：支持手段
１００、１０１：矢印
【図１】
0003886567.tif 000002
【図２】
0003886567.tif 000003
【図３】
0003886567.tif 000004
【図４】
0003886567.tif 000005
【図５】
0003886567.tif 000006
【図６】
0003886567.tif 000007
【図７】
0003886567.tif 000008
【図８】
0003886567.tif 000009
【図９】
0003886567.tif 000010
【図１０】
0003886567.tif 000011
【図１１】
0003886567.tif 000012
【図１２】
0003886567.tif 000013
【図１３】
0003886567.tif 000014
【図１４】
0003886567.tif 000015
【図１５】
0003886567.tif 000016
【図１６】
0003886567.tif 000017
【図１７】
0003886567.tif 000018
【図１８】
0003886567.tif 000019
【図１９】
0003886567.tif 000020
【図２０】
0003886567.tif 000021